(57)【要約】      （修正有）【課題】板厚を厚くせずに立体感や奥行き感が増す表示装置を提供する。【解決手段】基板２の一側面に設けられた塗装層３と、塗装層に設けられたスリット４により構成された表示パターン部５と、基板の一側面２１と反対側の他側面２２に形成された多角形状の凹部６と、基板の凹部を含む他側面に設けられた金属蒸着膜部７と、他側面の方向から基板及び金属蒸着膜部に向かって光を発する光源部と、を有する表示装置であって、凹部は、表示パターン部を一側面の法線方向から他側面を見た視点で視認可能な視認領域の外側に形成されている。【選択図】図３
2017116851.tif 000002
【特許請求の範囲】
【請求項１】
基板の一側面に設けられた塗装層と、
前記塗装層に設けられたスリットにより構成された表示パターン部と、
前記基板の前記一側面と反対側の他側面に形成された多角形状の凹部と、
前記基板の前記凹部を含む前記他側面に設けられた金属蒸着膜部と、
前記他側面の方向から前記基板及び前記金属蒸着膜部に向かって光を発する光源部と、を有する表示装置であって、
前記凹部は、前記表示パターン部を前記一側面の法線方向から前記他側面を見た視点で視認可能な視認領域の外側に形成されていることを特徴とする表示装置。
【発明の詳細な説明】
【技術分野】
【０００１】
本発明は、表示装置に関する。
【背景技術】
【０００２】
従来、透光性を有する基板と、基板の裏面に設けられた印刷層と、印刷層に応じて形成された暗色半透明層と、基板、印刷層及び暗色半透明層に光を出射する光源部を有する表示装置が知られている。このような表示装置は、暗色半透明層に形成されたスリットにより文字や模様などの表示パターンが表現され、光源部から出射された光により基板などを介して表示パターンが視認される構成である。
【０００３】
しかし、上記構成の表示装置では、奥行き感や立体感のある表示を行うことができず意匠性が低かった。
【０００４】
奥行き感や立体感のある表示を行うため、例えば光源部から出力された光が入射する光入射部（基板）の裏面に形成された溝部に、光入射部に入射した光を反射させることで、表示パターンを形成する表示装置が知られている（例えば、特許文献１を参照）。
【先行技術文献】
【特許文献】
【０００５】
【特許文献１】特開２０１４−１８２３５６号公報
【発明の概要】
【発明が解決しようとする課題】
【０００６】
しかし、上記特許文献１の表示パターンの立体感や奥行き感は、溝部の幅と深さに依存する構成である。したがって、表示パターンの立体感や奥行き感を増すべく溝部の幅と深さを大きくすると光入射部（基板）の板厚が厚くなってしまう。板厚が厚くなると、表示装置が大型化するため搭載可能な機器が制限される。
【０００７】
そこで、板厚を厚くせずに立体感や奥行き感が増す表示装置を提供することを目的とする。
【課題を解決するための手段】
【０００８】
一つの案では、
透明性を有する基板と、
前記基板の一側面に設けられた塗装層と、
前記塗装層に設けられたスリットにより構成された表示パターン部と、
前記基板の前記一側面と反対側の他側面に形成された多角形状の凹部と、
前記基板の前記凹部を含む前記他側面に設けられた金属蒸着膜部と、
前記他側面の方向から前記基板及び前記金属蒸着膜部に向かって光を発する光源部と、を有する表示装置であって、
前記凹部は、前記表示パターン部を前記一側面の法線方向から前記他側面を見た視点で視認可能な視認領域の外側に形成されていることを特徴とする表示装置が提供される。
【０００９】
上記構成によれば、多角形状の凹部を前記した視認領域の外側に形成したので、基板の板厚が厚くなることはない。さらに、基板に対して表示パターン部を斜めから目視した際には、視認領域に位置する金属蒸着膜部の一部（平面部）と、視認領域の外側に位置する凹部の一側面（片側側面）とによって形成された立体箇所を視認できるため、従来に比して奥行き感や立体感が飛躍的に増す。
【発明の効果】
【００１０】
本発明の一形態によれば、板厚を厚くせずに立体感や奥行き感を増す表示装置を提供できる。
【図面の簡単な説明】
【００１１】
【図１】表示装置の構成を説明する断面図である。
【図２】表示装置の表示状態を説明する斜視図である。
【図３】表示装置の凹部と視認領域との関係を説明する説明図である。
【図４】凹部の異なる形状の一例を説明する斜視図である。
【図５】表示装置をスイッチに適用した一例を示す図である。
【図６】表示装置をタッチパッドに適用した一例を示す図である。
【発明を実施するための形態】
【００１２】
以下、本発明を実施するための形態について図面を参照して説明する。各図面において、同一の又は対応する構成には、同一の又は対応する符号を付して説明を省略する。
【００１３】
また、図面は、特に指定しない限り、部材もしくは部品間の相対比を示すことを目的としない。従って、具体的な寸法は、以下の限定的でない実施形態に照らし、当業者により決定することができる。
【００１４】
また、以下説明する実施形態は、発明を限定するものではなく例示であって、実施形態に記述される全ての特徴やその組み合わせは、必ずしも発明の本質的なものであるとは限らない。
【００１５】
図１は表示装置の構成を説明する断面図である。図２は表示装置の表示状態を説明する斜視図である。
【００１６】
表示装置１は、基板２、塗装層３、表示パターン部５、凹部６、金属蒸着膜部７、光源部８を有している。
【００１７】
以下では、基板２、塗装層３、及び金属蒸着膜部７が一体となったものを積層体１０と称する。積層体１０の表面は塗装層３であり、裏面は金属蒸着膜部７が配置される。
【００１８】
基板２は、透明性を有する板状の部材である。基板２は、光源部８から出射された光を透過し、基板内部に光を伝播させるように構成されている。したがって、基板２は光の外部透過率の高いＰＣ樹脂（ポリカーボネート）などにより形成される。
【００１９】
塗装層３は、基板２の上面２１（矢印Ｙ１側）に形成されている。塗装層３は、例えば光が透過しない黒系の色の塗料が塗装されている。塗装方法の一例として例えばシルク印刷などの印刷により塗装がなされても良い。
【００２０】
表示パターン部５は、塗装層３に設けられたスリット４により形成されている。塗装層３は上述の通り光が透過し難い黒系の色とされている。したがって、表示パターン部５は、基板２の下面２２側（矢印Ｙ２側）に配置された光源部８からの光を通過させて、図２に示す例えば「Ａ」を意味する文字を視認（表示）させることができる。
【００２１】
図２では表示パターン部５が、文字「Ａ」の場合を示したが、この限りではなく矢印や模様などであって良い。本実施形態では文字、矢印、模様などを一括して表示パターンと称する。表示パターン部５は、例えばレーザカットにより形成される。
【００２２】
基板２の下面２２には、多角形状の凹部６が設けられている。凹部６はレーザー、切削及び金型等を用いた方法により形成される。本実施形態では基板２の射出成型時に凹部６が形成される。本実施形態の凹部６は、配置される位置に特徴があるが、その点は後述する。
【００２３】
基板２の下面２２には、凹部６を含む様態で金属蒸着膜部７が形成されている。金属蒸着膜部７は、基板２の下面２２に金属を蒸発させて付着させることで薄膜を形成する。金属蒸着膜部７は、物理蒸着（PVD）と化学蒸着（CVD）などにより形成されて良い。また、金属蒸着膜部７は、基板２の下面２２側（矢印Ｙ２側）に配置された光源部８からの光を通過可能な材質と膜厚で形成される。
【００２４】
本実施形態の表示装置１は基板２の下面２２に金属蒸着膜部７が形成されているため、利用者が表示パターン部５を目視すると、金属蒸着膜部７の金属色が見えることになる。したがって、図２に示す表示パターン部５の表示パターン「Ａ」が、金属色で視認でき意匠性が良い。金属色の配色は適宜選択的に決定される。
【００２５】
上記構成の積層体１０の裏面側（矢印Ｙ２側）に配置された光源部８は、ＬＥＤ素子を有する構成とされている。光源部８は、積層体１０の裏面側（矢印Ｙ２側）であって、表示パターン部５の直下位置に配置される。
【００２６】
次に、図２、図３に基づいて凹部６の配置位置を具体的に説明する。図３は、表示装置１の凹部６と視認領域との関係を説明する図である。
【００２７】
本実施形態の表示装置１は、利用者が表示パターン部５を視認する領域として大別すると２つの領域を有している。
【００２８】
１つ目は、利用者が基板２に対して正面（上側中央）から表示パターン部５を見た場合に視認可能な領域である視認領域Ｄ１（以下、正面視認領域Ｄ１という）である。２つ目は、利用者が基板２に対して斜め方向から表示パターン部５を見た場合に視認可能な領域である視認領域Ｄ２（以下、斜向視認領域Ｄ２という）である。
【００２９】
なお、上記した正面視認領域Ｄ１とは、「一側面（上面２１）の法線方向から他側面（下面２２）を見た視点で視認可能な領域な視認領域」に相当する。
【００３０】
正面視認領域Ｄ１は、表示パターン部５の表面５ａ（点線）と直交する方向に形成されている。また正面視認領域Ｄ１の上面視は表示パターン部５のスリット形状と同じになる。図２においては「Ａ」である。
【００３１】
斜向視認領域Ｄ２は、表示パターン部５の表面５ａに対して傾斜する方向に形成されている。図示例では４５度傾斜した場合の視認領域を示した。
【００３２】
基板２の下面２２に形成される凹部６は、前記した正面視認領域Ｄ１の外側にくるように形成されている。凹部６は、図２に示すように正面視認領域Ｄ１の外側に沿って複数連続して形成されることが好ましい。つまり凹部６は、表示パターン部５の外周の外側縁に沿って連続的に形成される。
【００３３】
勿論、凹部６は正面視認領域Ｄ１の外側に沿って連続している必要は無く、正面視認領域Ｄ１の外側近傍位置に間隔を空けて形成されても良い。即ち凹部６の位置は、正面視認領域Ｄ１の外側であれば良く、基板２の厚みなどによって適切に決定される。
【００３４】
凹部６は、上記のように正面視認領域Ｄ１の外側に形成したので、利用者が斜め方向から表示パターン部５を目視した場合、斜向視認領域Ｄ２において、正面視認領域Ｄ１に位置する金属蒸着膜部７の一部２２Ａ（平面部）と、正面視認領域Ｄ１の外側に位置する凹部６の一側面６０Ａ（片側側面）とによって形成された立体箇所Ｋを視認できる。したがって、従来に比して奥行き感や立体感が飛躍的に増す。
【００３５】
また、上記の構造は、光源部８の点灯時のみならず、光源部８の消灯時においても太陽光が表示パターン部５から入射し、当該太陽光が金属蒸着膜部７の上記した立体箇所Ｋで反射することにより略同様の奥行き感や立体感を実現できる。
【００３６】
凹部６は、多角形状を有しており、例えば図４に示すような形状が実施されて良い。図４Ａ〜図４Ｃは、先端が先細りとなる基本構成を有する多角形状の例を示した。図４Ｄ〜図４Ｆは、上部が水平面となる基本構成を有する多角形状の例を示した。
【００３７】
図４Ａは三角錐形状の凹部６１であり、図４Ｂは四角錐形状の凹部６２であり、図４Ｃは六角錐形状の凹部６３である。
【００３８】
図４Ｄは三角錐形状の上部に水平面６１０ａを有する凹部６１０であり、図４Ｅは四角錐形状の上部に水平面６２０ａを有する凹部６２０であり、図４Ｆは六角錐形状の上部に水平面６３０ａを有する凹部６３０である。図４に示した例は一例であり、さらに多くのダイヤカットが施された多角形状であって良い。
【００３９】
図５には、本実施形態に係る表示装置１をスイッチ５０に適用した一例を示した。図５Ａはスイッチ５０の斜視図であり、図５Ｂはスイッチ５０の断面図である。スイッチ５０は、例えば車両などにおいてはフォグランプ用のスイッチや、エアコンスイッチ、その他の制御スイッチなどに使用される。
【００４０】
スイッチ５０は、ボタンノブ５１、ノブホルダ５２、タクトスイッチ５３などを有している。図５に示すボタンノブ５１の表面には、図示することは省略したが例えば図２に示したような表示パターンなどが表示される。したがって、ボタンノブ５１を表示装置１の積層体１０により形成することで、ボタンノブ５１上の表示パターンに立体感や奥行き感を具備できる。
【００４１】
具体的にはボタンノブ５１の位置に、図１に記載した表示装置１を構成する積層体１０が配置され、ノブホルダ５２の内部に光源部８を表示パターン部５の直下位置に配置することにより表示装置１を搭載できる。本実施形態の表示装置１は、図５Ａに示すように連続する３つのスイッチに搭載されて良く、各スイッチごとに光源部８が設けられて良い。
【００４２】
図６には本実施形態に係る表示装置をタッチパッド９０に適用した一例を示した。図６Ａは、タッチパッド９０の全体斜視図であり、図６Ｂは、タッチパッド９０の断面図である。
【００４３】
タッチパッド９０は、操作面を指でなぞることにより画面内のカーソルやボタンを操作する操作パネルであり、例えば車両に搭載された表示部の操作パッドとして好適に実施される。
【００４４】
タッチパッド９０は、操作面９１、ライトガイド９２、静電センサ基板９３、筐体９４とを有する。操作面９１、ライトガイド９２、静電センサ基板９３は積層体構造とされ、当該積層体構造は筐体９４内に操作面９１の上面が露出する様態で設置される。
【００４５】
図６Ａに示す操作面９１の表面には、例えば表示パターン部５として十字形状などが表示される。したがって、操作面９１を上記した表示装置１の積層体１０により形成することで、操作面９１上の表示パターンに立体感や奥行き感を具備できる。
【００４６】
具体的には図６Ｂに示すように操作面９１の箇所に、図１に記載した表示装置１を構成する積層体１０が配置され、光源部８がライトガイド９２の端部と接続されて光源部８の光が表示パターン部５の直下位置に届くように構成することにより表示装置１を搭載できる。また操作面９１の表面にはなぞり操作の操作性を考慮した、クリアコートが形成されていて良い。上記構成のタッチパッド９０は、例えば車両において運転席と助手席の間に配置されるコンソールボックスの上面に設置されて良い。
【００４７】
以上、表示装置の実施形態などを説明したが、本発明は上記実施形態などに限定されず、特許請求の範囲に記載された本発明の要旨の範囲内において、種々の変形、改良が可能である。
【符号の説明】
【００４８】
１        表示装置
２        基板
３        塗装層
４        スリット
５        表示パターン部
６        凹部
７        金属蒸着膜部
８        光源部
１０      積層体
５０      スイッチ
９０      タッチパッド
【図１】
2017116851.tif 000003
【図２】
2017116851.tif 000004
【図３】
2017116851.tif 000005
【図４】
2017116851.tif 000006
【図５】
2017116851.tif 000007
【図６】
2017116851.tif 000008